(57)【要約】【課題】実機操作盤と訓練用操作盤の器具の仕様に差異がある場合でも、共通のシーケンス・ロジックを用いることが可能な運転訓練用シミュレータシステムを提供する。【解決手段】仮想インターフェースデータ２１は、訓練用操作盤に、実機操作盤と比較して器具の追加、変更及び削除があった場合の定型的な演算パターンを定義している。訓練用操作盤の各接点のＯＮ／ＯＦＦ状態は、通信回線６を通して模擬用コンピュータ７の入力メモリ９へ格納される。仮想インターフェース２０は、入力メモリ９へ格納された入力情報を読み取り、仮想インターフェースデータ２１の定義に基づいて演算を行い、実機操作盤の器具に対応した仮想入力情報を生成し、演算結果を仮想入力メモリ２２へ格納する。これにより、実機操作盤と訓練用操作盤の器具の仕様の差異を解消することができ、共通のシーケンス・ロジック１０を用いることができる。【選択図】図３
2008225342.tif 000002
【特許請求の範囲】
【請求項１】
プラントの実機操作盤をもとに作成された訓練用操作盤と、上記実機操作盤を制御するシーケンス・ロジックと、上記実機操作盤と上記訓練用操作盤の器具の仕様の差異を解消する仮想インターフェース機能を含み、上記訓練用操作盤にて運転員を訓練する運転訓練用シミュレータシステムであって、
上記仮想インターフェース機能は、上記訓練用操作盤の器具からの入力情報を上記実機操作盤の器具に対応した仮想入力情報に変換する演算パターンと、上記実機操作盤の器具に対応した仮想出力情報を上記訓練用操作盤の器具に対応した出力情報に変換する演算パターンを定義した仮想インターフェースデータを備えたことを特徴とする運転訓練用シミュレータシステム。
【請求項２】
請求項１記載の運転訓練用シミュレータシステムであって、上記仮想インターフェースデータは、上記訓練用操作盤に、上記実機操作盤と比較して器具の追加、変更及び削除がある場合を想定した演算パターンを定義していることを特徴とする運転訓練用シミュレータシステム。
【請求項３】
請求項１記載の運転訓練用シミュレータシステムであって、上記仮想インターフェース機能は、電子ファイル化された上記実機操作盤と上記訓練用操作盤それぞれの入出力設計仕様書から上記仮想インターフェースデータを自動的に生成する機能を含むことを特徴とする運転訓練用シミュレータシステム。
【請求項４】
請求項１記載の運転訓練用シミュレータシステムであって、上記仮想インターフェース機能は、上記仮想インターフェースデータの定義内容を表形式で表示し、ユーザが上記定義内容を任意に変更することができるマンマシン・インターフェースを備えたことを特徴とする運転訓練用シミュレータシステム。
【請求項５】
請求項４記載の運転訓練用シミュレータシステムであって、上記マンマシン・インターフェースは、上記訓練用操作盤の入力状態を表示する機能、及び上記訓練用操作盤への出力操作を行う機能のいずれか片方または両方を備えたことを特徴とする運転訓練用シミュレータシステム。
【発明の詳細な説明】
【技術分野】
【０００１】
本発明は、火力発電所等のプラントにおいて、訓練用操作盤と模擬用コンピュータにて運転員を訓練する運転訓練用シミュレータシステムに関するものである。
【背景技術】
【０００２】
操作盤を有するプラントでは一般に、運転員による操作盤の器具の操作をシーケンサー等の制御コンピュータにより受け付け、制御対象の装置に指令を出し、その結果を操作盤の表示器具に表示する。制御コンピュータには、シーケンス・ロジックと呼ばれる制御プログラムが搭載されている。このようなプラントを模擬し、運転員を訓練するための運転訓練用シミュレータシステムでは、模擬対象プラントと同等のシーケンス・ロジックを模擬用コンピュータにおいて演算している。
【０００３】
模擬対象プラントの実機操作盤（以下、実機操作盤と称す）と運転訓練用シミュレータ操作盤（以下、訓練用操作盤と称す）の器具の仕様が同じである場合は、それぞれ実装するコンピュータが異なっても、同じシーケンス・ロジックを使用することができる。しかし、通常、コスト削減の観点から、訓練用操作盤においては、実機操作盤と比較して、訓練を行なう上で重要でない器具の削除、安価な器具への変更または簡易な形状への変更等が行われる。このため、実機操作盤におけるシーケンス・ロジックをそのまま訓練用操作盤のシーケンス・ロジックとして使用することはできず、訓練用操作盤の入出力設計が完了し、使用する器具が決まった後、訓練用操作盤用のシーケンス・ロジックを別途設計する必要があった。
【０００４】
従来技術として、例えば特許文献１では、各装置間のネットワークにより授受する信号の通信定義情報の不整合を、各装置の制御ロジックを参照することなく判定し、その判定結果に基づいた整合性のある定義情報を各装置の設計ツールにエキスポートするネットワークインターフェイス設計製作システムが提示されている。この例では、各装置の設計ツールにおいて、制御ロジックと通信定義情報を別ファイルとし、それぞれの通信定義情報を通信定義照合手段に取り込み、タグをキーにして両者の整合性を照合する。各装置間の通信定義情報が不整合であった場合は、修正通信定義情報作成手段により一方の装置の通信定義情報（例えば通信入力定義情報）に、他方の装置の通信定義情報（例えば通信出力定義情報）を上書きして修正通信定義情報を作成する。
【特許文献１】特開２００６−１１８７３号公報
【発明の開示】
【発明が解決しようとする課題】
【０００５】
従来の運転訓練用シミュレータのシーケンス・ロジックは、訓練用操作盤の入出力設計が完了した後でなければ作成することができず、訓練用操作盤の設計が遅れると、シーケンス・ロジックの設計も遅れ、その後に続くテスト作業工程等を圧迫していた。また、訓練用操作盤は、設計が完了した後に設計変更されることが頻繁にあり、その度にシーケンス・ロジックのプログラム修正、テストが必要であった。なお、特許文献１のように、各装置間の通信定義情報を比較して不整合であった場合に、一方の装置の通信定義情報に他方の装置の通信定義情報を上書きする方法では、各装置間すなわち実機操作盤と訓練用操作盤の物理的な差異を解消することはできない。
【０００６】
また、シーケンス・ロジックの設計者は、実機操作盤と訓練用操作盤それぞれの入出力設計仕様書を比較してそれらの差異を抽出する必要があり、負担が大きかった。また、訓練用操作盤の機器が故障した場合、ハードウェアの修理を行うか、シーケンス・ロジックの変更を行う必要があり、復旧が遅れ、訓練に支障をきたす場合があった。さらに、訓練用操作盤と模擬用コンピュータ間の入出力テストでは、ハードウェアの入出力が訓練用操作盤の入出力設計仕様書通りに作成されているかを確認するのみであった。このため、訓練用操作盤の器具の選定ミスや取り付け位置の誤り、訓練上必要な器具を削除してしまう等の設計不備があっても、訓練用操作盤の入出力設計仕様書の誤りを確認できないという問題があった。
【０００７】
本発明は、上記のような課題を解決するためになされたもので、実機操作盤と訓練用操作盤の器具の仕様に差異がある場合でも、共通のシーケンス・ロジックを用いることが可能な運転訓練用シミュレータシステムを提供することを目的とする。
【０００８】
また、訓練用操作盤の器具の仕様変更に容易に対応でき、さらに、訓練用操作盤の設計不備を効率的にチェックすることが可能な運転訓練用シミュレータシステムを得ることを目的とする。
【課題を解決するための手段】
【０００９】
本発明による運転訓練用シミュレータシステムは、プラントの実機操作盤をもとに作成された訓練用操作盤と、実機操作盤を制御するシーケンス・ロジックと、実機操作盤と訓練用操作盤の器具の仕様の差異を解消する仮想インターフェース機能を含み、上記訓練用操作盤にて運転員を訓練する運転訓練用シミュレータシステムであって、仮想インターフェース機能は、訓練用操作盤の器具からの入力情報を実機操作盤の器具に対応した仮想入力情報に変換する演算パターンと、実機操作盤の器具に対応した仮想出力情報を訓練用操作盤の器具に対応した出力情報に変換する演算パターンを定義した仮想インターフェースデータを備えたものである。
【発明の効果】
【００１０】
本発明によれば、訓練用操作盤の器具からの入力情報を実機操作盤の器具に対応した仮想入力情報に変換する演算パターンと、実機操作盤の器具に対応した仮想出力情報を訓練用操作盤の器具に対応した出力情報に変換する演算パターンを定義した仮想インターフェースデータにより、実機操作盤と訓練用操作盤の器具の仕様の差異を解消することができるため、実機操作盤用に設計されたシーケンス・ロジックを訓練用操作盤に流用することでき、共通のシーケンス・ロジックを用いることが可能である。これにより、設計者の負担が大幅に軽減され、工期の短縮及び低コスト化が図られる。
【発明を実施するための最良の形態】
【００１１】
実施の形態１．
以下、本発明の実施の形態１について図面に基づいて説明する。図１は、本実施の形態における運転訓練用シミュレータシステムのシステム構成を示す図、図２は、訓練用操作盤の器具を示す拡大図、図３（ａ）は本実施の形態における運転訓練用シミュレータシステムの模擬用コンピュータ（ソフトウエア）の動作を示すブロック図、図３（ｂ）は従来の運転訓練用シミュレータシステムの模擬用コンピュータの動作を示すブロック図である。
【００１２】
本実施の形態における運転訓練用シミュレータシステムは、プラントの実機操作盤（図示せず）をもとに作成された訓練用操作盤１と、実機操作盤を制御するシーケンス・ロジック１０と、実機操作盤と訓練用操作盤１の器具の仕様の差異を解消する仮想インターフェース２０を含んで構成されている。仮想インターフェース２０は、訓練用操作盤１と実機操作盤の器具の仕様に差異がある場合でも、共通のシーケンス・ロジック１０を用いることを可能とするものであり。これにより、実機操作盤用として設計されたシーケンス・ロジック１０を、模擬用コンピュータ７に搭載し、訓練用操作盤１にて運転員を訓練することが可能となる。
【００１３】
図１に示す訓練用操作盤１上の器具２は、表示器具である赤ランプ３及び緑ランプ４、操作器具である切替えスイッチ５を備えている。切替えスイッチ５は、図２に示すように、「起動」「自動」「停止」の３接点を有している。切替えスイッチ５の入力状態は、通信回線６を通して模擬用コンピュータ７に入力される。模擬用コンピュータ７は、切替えスイッチ５の入力状態に応じた演算を行い、通信回線６を通して赤ランプ３または緑ランプ４に出力する。
【００１４】
本実施の形態における模擬用コンピュータ７のソフトウエアの動作について図３を用いて説明する。訓練用操作盤１の器具２の切替えスイッチ５は、「起動」「自動」「停止」の３接点を有し、このうち選択されているいずれかの接点がＯＮ状態、その他の接点はＯＦＦ状態である。これら各接点のＯＮ／ＯＦＦ状態は、通信回線６を通して模擬用コンピュータ７に入力され、模擬用コンピュータ７の通信プログラム８によって入力メモリ９へ格納される。
【００１５】
ここで、比較例（図３（ｂ））では、模擬操作盤１用として設計されたシーケンス・ロジック１０ａが、入力メモリ９へ格納された各接点のＯＮ／ＯＦＦ状態を入力情報（入力値）として読み込み、所定の演算処理を施し、出力情報（出力値）を出力メモリ１１へ格納する。一方、本実施の形態では、仮想インターフェース２０が入力メモリ９へ格納された各接点のＯＮ／ＯＦＦ状態を入力情報として読み取り、仮想インターフェースデータ２１の定義に基づいて演算を行い、実機操作盤の器具に対応した仮想入力情報を生成し、その演算結果を仮想入力メモリ２２へ格納する。
【００１６】
実機操作盤用として設計されたシーケンス・ロジック１０は、仮想インターフェースデータ２１に基づく演算により、訓練用操作盤１と実機操作盤の器具の仕様の差異を意識することなく、仮想入力メモリ２２から実機操作盤に対応した仮想入力情報を読み取り、所定の演算処理を施す。さらに、シーケンス・ロジック１０は、実機操作盤に対応した仮想出力情報を出力値として仮想出力メモリ２３へ格納する。
【００１７】
さらに、仮想インターフェース２０は、仮想出力メモリ２３に格納された出力値を読み取り、仮想インターフェースデータ２１に基づいて演算を行い、訓練用操作盤１に対応した出力情報を出力値として出力メモリ１１へ格納する。出力メモリ１１へ格納された演算結果は、通信プログラム８によって訓練用操作盤１の赤ランプ３または緑ランプ４に伝送され、これらのランプ３、４が点灯または消灯する。
【００１８】
このように、仮想インターフェースデータ２１は、訓練用操作盤１の器具からの入力情報（入力メモリ９に格納）を、実機操作盤の器具に対応した仮想入力情報（仮想入力メモリ２２に格納）に変換する演算パターンと、実機操作盤の器具に対応した仮想出力情報（仮想出力メモリ２３に格納）を、訓練用操作盤１の器具に対応した出力情報（出力メモリ１１に格納）に変換する演算パターンを定義している。なお、仮想インターフェースデータ２１については後に具体的に説明する。
【００１９】
図４は、シーケンス・ロジック１０のプログラム例を示す図である。シーケンス・ロジック１０は、仮想入力メモリ２２から切替えスイッチ５の接点に対応する仮想入力情報（入力値）１２、１３、１４を読み取る。入力値１２は切替えスイッチ５の接点が「起動」、入力値１３は「自動」、入力値１４は「停止」である。シーケンス・ロジック１０は、それらの値、及びその他の状態値により論理演算を行い、「赤ランプ点灯」という出力値１５、または「緑ランプ点灯」という出力値１６を仮想出力メモリ２３へ格納する。
【００２０】
次に、本実施の形態における仮想インターフェース２０の機能について、図５及び図６を用いて具体的に説明する。仮想インターフェース２０は、仮想インターフェースデータ２１において、訓練用操作盤に、実機操作盤と比較して器具の追加、変更及び削除がある場合を想定し、それらに対する定型的な演算パターンを定義している。ここでは、実機操作盤（図２を流用して説明する）では、器具２の切替えスイッチ５が「起動」「自動」「停止」の３接点を有するのに対し、訓練用操作盤では、図５（ａ）に示すように、器具２ａの切替えスイッチ５ａが「起動」「停止」の２接点という仕様に変更された場合を例に挙げて説明する。
【００２１】
実機操作盤の切替えスイッチ５が「起動」「自動」「停止」の３接点を有する場合、実機操作盤用として設計されたシーケンス・ロジック１０は、３接点の入力を期待したロジックとなっている。そこで、図５（ｂ）に示すように、仮想インターフェースデータ２１において、実機操作盤と訓練用操作盤の各接点の対応テーブルを定義し、訓練用操作盤からの入力２５に対して演算パターン２６を施すことにより、実機操作盤に対応した仮想入力２４を生成する。ここでは、訓練用操作盤で削除された「自動」の接点について、「起動」「停止」が共にＯＦＦの場合ＯＮという演算パターンを指定することにより、削除された「自動」の接点を仮想的に作り出している。
【００２２】
その結果、図６に示すように、シーケンス・ロジック１０は、仮想入力メモリ２２に格納された３接点の仮想入力２４を入力値として読み取ることができる。このように、本実施の形態では、仮想インターフェース２０により、訓練用操作盤と実機操作盤の器具の仕様の差異を解消できるため、訓練用操作盤用のシーケンス・ロジックを新たに設計する必要がない。また、仮想インターフェースデータ２１において、訓練用操作盤の器具の追加、変更、削除等のあらゆる仕様変更を想定した演算パターンを予め用意しておくことにより、訓練用操作盤の設計が完了した後の設計変更（器具の仕様変更）が頻繁にあっても、容易かつ瞬時に対応できる。
【００２３】
なお、上記の例では、実機操作盤と訓練用操作盤の入力に係る切替えスイッチの仕様に差異がある場合について示したが、出力に係るランプ等の仕様変更に対しても同様に、仮想インターフェースデータ２１にて定義する。以下に、実機操作盤と訓練用操作盤において、切替えスイッチの仕様は同じであるが、表示器具であるランプの数が実機操作盤では３個（３色）であるのに対し、訓練用操作盤では２個（２色）である場合について説明する。
【００２４】
実機操作盤に３個のランプがある場合、シーケンス・ロジック１０は３個のランプに対する出力値を作成するロジックとなっており、シーケンス・ロジック１０からの出力値を受け取る仮想出力メモリ２３には、実機操作盤に対応した仮想出力情報が出力値として格納される。そこで、仮想インターフェースデータ２１において、実機操作盤と訓練用操作盤の各ランプの対応テーブルを定義することにより、実機操作盤に対応した仮想出力情報が、訓練用操作盤に対応した出力情報に変換される。その結果、出力メモリ１１には、訓練用操作盤に対応した出力情報が格納され、訓練用操作盤は２つのランプに対応した出力値を受け取ることができる。
【００２５】
以上のように、本実施の形態における運転訓練用シミュレータシステムによれば、仮想インターフェースデータ２１において、訓練用操作盤に、実機操作盤と比較して器具の追加、変更及び削除があった場合の定型的な演算パターンを定義することにより、実機操作盤と訓練用操作盤の器具の仕様の差異を解消することができる。これにより、実機操作盤用に設計されたシーケンス・ロジック１０を訓練用操作盤に流用することができ、共通のシーケンス・ロジック１０を用いることが可能である。また、想定される訓練用操作盤の仕様変更に対する演算パターンを予め用意することにより、訓練用操作盤の設計変更が頻繁に行われる場合でも容易に対応でき、その度にシーケンス・ロジック１０の再設計を行う必要がないため、設計者の負担が大幅に軽減され、工期の短縮及び低コスト化が図られる。
【００２６】
実施の形態２．
上記実施の形態１では、仮想インターフェースデータ２１の定義により実機操作盤と訓練用操作盤の器具の仕様の差異を解消する仮想インターフェース機能について述べた。本実施の形態ではさらに、電子ファイル化された実機操作盤と訓練用操作盤それぞれの入出力設計仕様書から仮想インターフェースデータ２１を自動的に生成する機能を備えたものである。
【００２７】
本実施の形態における仮想インターフェースデータ生成機能について、図７を用いて説明する。実機操作盤１００及び訓練用操作盤１０１には、工作に必要な設計図書として、使用する機器の名称や部品を記した実機操作盤入出力設計仕様書３０及び訓練用操作盤入出力設計仕様書３１がそれぞれ作成されている。昨今、このような入出力設計仕様書は、電子ファイルで作成されており、一般的な表計算ソフトを用いた表形式のリストが作成される。
【００２８】
本実施の形態では、実機操作盤入出力設計仕様書３０の電子ファイル３２、訓練用操作盤入出力設計仕様書３１の電子ファイル３３を、仮想インターフェースデータ生成機能３４に入力する。仮想インターフェースデータ生成機能３４は、これらの電子ファイル３２、３３を比較して自動的に差異を抽出し、実機操作盤１００及び訓練用操作盤１０１の各器具の対応をとりながら仮想インターフェースデータ２１を出力する。また、実機操作盤１００と訓練用操作盤１０１の器具の接点に不一致が生じた場合には、追加、変更、削除等の不一致の状態に応じた演算パターンを決定し、仮想インターフェースデータ２１に出力する。
【００２９】
本実施の形態によれば、電子ファイル化された入出力設計仕様書から実機操作盤１００と訓練用操作盤１０１の差異を抽出し、仮想インターフェースデータ２１を自動的に生成する仮想インターフェースデータ生成機能３４により、シーケンス・ロジック設計者の負担をさらに軽減することが可能である。
【００３０】
実施の形態３．
上記実施の形態２では、自動的に仮想インターフェースデータ２１を生成する仮想インターフェースデータ生成機能３４（図７参照）について述べた。本実施の形態ではさらに、仮想インターフェースデータ２１の定義内容を表形式で表示し、ユーザが定義内容を任意に変更することができるマンマシン・インターフェース機能を追加し、訓練用操作盤の機器が故障した場合に迅速に代替手段を提供できるようにした。
【００３１】
本実施の形態におけるマンマシン・インターフェースを備えた模擬用コンピュータ（ソフトウエア）の動作について、図８を用いて説明する。なお、図８は、マンマシン・インターフェース２４を備えている点以外は図３（ａ）と同じであるため、図中、同一部分に同一符号を付し説明を省略する。マンマシン・インターフェース２４は、仮想インターフェースデータ２１の定義内容を表形式で表示するものである。ユーザは、表形式の画面において、実機操作盤と訓練用操作盤の器具の対応を任意に変更することができ、変更した内容は仮想インターフェースデータ２１に書き込まれる。これにより、シーケンス・ロジック１０を変更することなく、簡単な画面操作で、器具の対応をリアルタイムに変更することができる。
【００３２】
マンマシン・インターフェース２４の画面の構成例を図９に示す。図９（ａ）は変更前の仮想インターフェースデータ２１の定義内容を示す画面、図９（ｂ）は訓練用操作盤のランプ故障により仮想インターフェースデータ２１の定義内容を変更した後の画面である。画面上には、実機操作盤の器具名称２５と、これに対応する訓練用操作盤の器具名称２６が表示されており、さらに、器具の追加、変更及び削除等の仕様変更に応じた演算パターン２７をメニューにて選択できるようになっている。
【００３３】
例えば、訓練用操作盤の「ランプＢ」が故障したため「ランプＡ」に代替させる場合、図９（ｂ）に示すように、訓練用操作盤の器具名称２６の「ランプＢ」を「ランプＡ」に変更し、かつ、演算パターン２７の「点滅表示」を選択する。変更後、「実行」ボタン２８を押下すると、対応テーブルが更新される。これにより、仮想インターフェースデータ２１の定義内容が変更され、ランプＡによるランプＢの代替が可能となる。なお、「取り消し」ボタン２９を押下した場合には、対応テーブルの更新は行われない。
【００３４】
本実施の形態によれば、ユーザは、マンマシン・インターフェース２４の画面において、仮想インターフェースデータ２１の定義内容を容易に確認、変更でき、実機操作盤と訓練用操作盤の器具の対応を任意に変更することができるため、訓練用操作盤の器具が故障した場合にも、簡単な画面操作で器具の対応をリアルタイムに変更でき、容易に代替器具に変更することが可能となる。
【００３５】
実施の形態４．
上記実施の形態３では、ユーザが実機操作盤と訓練用操作盤の器具の対応を任意に変更することが可能なマンマシン・インターフェース２４について述べたが、本実施の形態ではさらに、マンマシン・インターフェース２４の画面において、訓練用操作盤の入力状態を表示する機能と、訓練用操作盤への出力操作を行う機能を追加することで、訓練用操作盤の入出力設計仕様書（図７参照）のチェックを可能としたものである。
【００３６】
本実施の形態におけるマンマシン・インターフェースを備えた模擬用コンピュータ（ソフトウエア）の動作について、図１０を用いて説明する。なお、図１０は、マンマシン・インターフェース２４を備えている点以外は図３（ａ）と同じであるため、図中、同一部分に同一符号を付し説明を省略する。上記実施の形態１で説明したように、訓練用操作盤の器具の状態は、仮想インターフェース２０を介して入出力される。本実施の形態では、訓練用操作盤の入力状態の状態表示３５として、仮想インターフェース２０が仮想インターフェースデータ２１に基づいて演算した結果を、マンマシン・インターフェース２４の画面上に表示する。
【００３７】
マンマシン・インターフェース２４の画面の構成例を図１１に示す。訓練用操作盤の入力状態を仮想インターフェース２０が入力メモリ９から読み取り、仮想インターフェースデータ２１に基づいて演算し、実機操作盤に対応した仮想入力情報を生成する。その演算結果は、マンマシン・インターフェース２４の画面上に、状態表示３５として表示される。これにより、訓練用操作盤の器具からの入力に対応する実機操作盤の器具が容易に確認できる。なお、状態表示３５では、「ＯＮ」「ＯＦＦ」の状態が一目でわかるように、これらの色を替えて表示することが望ましい。
【００３８】
また、マンマシン・インターフェース２４の画面上から、訓練用操作盤への出力操作を行うこともできる。例えば、マンマシン・インターフェース２４のランプＡの項目にある状態設定３６のボタンを押下することにより、仮想インターフェース２１を介し、実機操作盤のランプＡに対応する訓練用操作盤のランプＡを点灯または消灯させることができる。これにより、実機操作盤のランプＡに対応する訓練用操作盤のランプＡを容易に確認できる。なお、図１１では、訓練用操作盤の入力状態を表示する機能と、訓練用操作盤への出力操作を行う機能の両方を備えた例について示したが、訓練用操作盤の仕様に応じていずれか片方の機能を備える場合もある。
【００３９】
本実施の形態によれば、マンマシン・インターフェース２４の画面上で実機操作盤と訓練用操作盤の器具の対応が容易に確認できるため、訓練用操作盤の器具の選定ミスや取り付け位置の誤り、訓練上必要な器具を削除してしまう等の設計不備があった場合でも、効率的に訓練用操作盤の入出力設計仕様書の誤りをチェックすることが可能である。
【産業上の利用可能性】
【００４０】
本発明は、火力発電所等のプラントの運転員を訓練する運転訓練用シミュレータシステムに利用可能である。
【図面の簡単な説明】
【００４１】
【図１】本発明の実施の形態１における運転訓練用シミュレータシステムのシステム構成を示す図である。
【図２】本発明の実施の形態１における訓練用操作盤の器具を示す拡大図である。
【図３】本発明の実施の形態１と従来例おける運転訓練用シミュレータシステムの模擬用コンピュータの動作を示すブロック図である。
【図４】本発明の実施の形態１におけるシーケンス・ロジックのプログラム例を示す図である。
【図５】本発明の実施の形態１における仮想インターフェース機能を説明する図である。
【図６】本発明の実施の形態１における仮想インターフェース機能を説明する図である。
【図７】本発明の実施の形態２における仮想インターフェースデータ生成機能を説明する図である。
【図８】本発明の実施の形態３における運転訓練用シミュレータシステムの模擬用コンピュータの動作を示すブロック図である。
【図９】本発明の実施の形態３におけるマンマシン・インターフェースの画面の構成例を示す図である。
【図１０】本発明の実施の形態４における運転訓練用シミュレータシステムの模擬用コンピュータの動作を示すブロック図である。
【図１１】本発明の実施の形態４におけるマンマシン・インターフェースの画面の構成例を示す図である。
【符号の説明】
【００４２】
１、１０１  訓練用操作盤、２  器具、３  赤ランプ、４  緑ランプ、
５  切替えスイッチ、６  通信回線、７  模擬用コンピュータ、８  通信プログラム、
９  入力メモリ、１０、１０ａ  シーケンス・ロジック、１１  出力メモリ、
２０  仮想インターフェース、２１  仮想インターフェースデータ、
２２  仮想入力メモリ、２３  仮想出力メモリ、２４  マンマシン・インターフェース、２５  実機操作盤の器具名称、２６  訓練用操作盤の器具名称、２７  演算パターン、２８  実行ボタン、２９  取消しボタン、３０  実機操作盤入出力設計仕様書、
３１  訓練用操作盤入出力設計仕様書、
３２  実機操作盤入出力設計仕様書電子ファイル、
３３  訓練用操作盤入出力設計仕様書電子ファイル、
３４  仮想インターフェースデータ生成機能、３５  状態表示、３６  状態設定、
１００  実機操作盤。
【図１】
2008225342.tif 000003
【図２】
2008225342.tif 000004
【図３】
2008225342.tif 000005
【図４】
2008225342.tif 000006
【図５】
2008225342.tif 000007
【図６】
2008225342.tif 000008
【図７】
2008225342.tif 000009
【図８】
2008225342.tif 000010
【図９】
2008225342.tif 000011
【図１０】
2008225342.tif 000012
【図１１】
2008225342.tif 000013